(57)【特許請求の範囲】
【請求項１】
複数のフォーカス手段を有する陰極線管接続用ＣＲＴソケットにおいて、陰極線管の複数のフォーカスピンにそれぞれ接続するそれぞれのフォーカスコンタクトに電極部（ＦＡ）を設け、当該複数の電極部（ＦＡ）との間に低電圧放電ギャップ（Ｌ）を開けて１個の共通電極（Ａ）を設け、当該共通電極（Ａ）に対向して高電圧放電ギャップ（Ｈ）を開けてアース接続側電極（Ｂ）を設けたことを特徴とするＣＲＴソケット。
【発明の詳細な説明】
【０００１】
【発明の属する技術分野】
本発明はカラーテレビやモニター等に用いられるＣＲＴ（陰極線管；Cathode  Ray  Tube）に接続するＣＲＴソケットの構成を単純化し、より小型化を図るのに有効な構造に関する。
【０００２】
【従来の技術】
カラーテレビやデイスプレー用モニター等に使用されるＣＲＴは、大型化、高精細化に伴い、複数のフォーカス手段を有するダブルフォーカス管等が広く採用され、このフォーカス電圧が高電圧化するとともに、より広角化、薄型化に対応し、画面全域で解像度の高い画像を得るために、複数のフォーカス用端子ピン間の印加電圧差が増大するとともに、これらのフォーカス用端子ピンに高周波のダイナミック電圧波形が重複印加されるようになってきている。
このような複数フォーカス管用ＣＲＴソケットには、ＣＲＴ管内に生じることがある異常放電エネルギーにより、回路素子が破壊されるのを防ぐためにこの異常放電エネルギーをアース側に短絡放電させる目的で、それぞれのフォーカス部毎に放電ギャップが一般に内蔵されている。
【０００３】
ここで例としてダブルフォーカス管用ＣＲＴソケットの一般的な構造を以下説明する。
図８に従来のＣＲＴソケット１００の表側外観図を示し、図７にその要部断面図を示す。
また、カバー部裏側から見た要部構造図を図６に示す。
ＣＲＴソケット１００は、リング状部１０２、カバー部１０３、基台部１０４及び円筒状中心孔１０５から構成され、リング状部は合成樹脂を射出成形して形成したハウジングの円筒状中心孔１０５の外側に同心円状に複数の信号コンタクト孔１０６が設けられ、裏側には信号コンタクト収納室１６１を凹設し、この中に導電性金属板の信号コンタクト１６２が配設されていて、これと所定の小さな放電ギャップを設けてアース金属１６４が配設され、異常電圧が印加されると外部に放電される構造になっている。
【０００４】
カバー部１０３には、高電圧が印加されるフォーカスピンを挿入接続するためのフォーカスコンタクト孔１０７ａ、１０７ｂが配設され、基台部１０４を塞ぐように樹脂で形成されている。
上記リング状部と同心円状の位置でカバー部の裏側にフォーカスコンタクト収納室１１７ａ、１１７ｂを凹設し、この部分にフォーカスコンタクト１７０ａ、１７０ｂを配設し、所定の高電圧放電ギャップＨ１、Ｈ２を設けてアース接続側電極ｂ１、ｂ２を介してアース接続側端子ｂ１１、ｂ２１が備えられている。
表側に、このフォーカスコンタクト収納室に対応して、フォーカスコンタクト孔１０７ａ、１０７ｂが配置されている。
また、図７に示すようにＣＲＴ２０に設けられている５〜１０ＫＶの高電圧が印加されるフォーカス用端子ピン２２ａ、２２ｂがフォーカスコンタクト１７０ａ、１７０ｂに接続し、０〜１０００Ｖの低電圧が印加される複数の信号用端子ピン２３がそれぞれ信号コンタクト１６２に接続する。
なお、アース接続側端子ｂ１１、ｂ２１及び信号コンタクトに設けた接続端子１６３は回路基板２１にハンダ付け等により接続されている。
【０００５】
従って複数のフォーカス部を有する場合に、従来は、図６にカバー部の裏側から見たフォーカス部の構造図を示すように、各々のフォーカス用端子ピンに接続するフォーカスコンタクト１７０ａ、１７０ｂ毎に高電圧放電用電極ａ１、ａ２を設けて、これらに対向してそれぞれアース接続側電極ｂ１、ｂ２及びアース接続側端子ｂ１１、ｂ２１を設けていた。
よって、フォーカス用端子ピン毎に高電圧放電用電極ａ１、ａ２とアース接続側電極ｂ１、ｂ２を設けてそれぞれ高電圧放電ギャップＨ１、Ｈ２を形成する必要があり、ＣＲＴソケットの構造が大きくなるだけでなく、部品点数も多くなるという技術的課題があった。
【０００６】
そこで本願出願人は、先の特許出願（特願２００１−２８５５３１号）にて図５に示すようなＣＲＴソケットの構造を提案した。
ＣＲＴの一方の第１フォーカスピン２２ａに接続するように、第１フォーカスコンタクト孔７ａに一端を臨ませて、第１フォーカスコンタクト７０ａを配設し、他端にリード線接続部７１ａが備えられている。
一端を第２フォーカスコンタクト７０ｂに圧接接続させた電極Ａの他端に低電圧放電電極部Ａ１を設け、第１フォーカスコンタクト７０ａに低電圧放電電極部ＦＡ１を設けてこの間に低電圧放電ギャップＬ１を形成させている。
【０００７】
ＣＲＴの他方の第２フォーカスピン２２ｂに接続するように、第２フォーカスコンタクト孔７ｂに一端を臨ませて第２フォーカスコンタクト７０ｂを配設する。この第２フォーカスコンタクト７０ｂの他端にはリード線接続部７１ｂが備えられるとともに、第２フォーカスコンタクト接続部７２ｂと電極Ａのフォーカスコンタクトの接続部ＡＷとが圧接接続されている。
この電極Ａに、所定の高電圧放電ギャップＨを介してアース接続側電極Ｂが対向して設けられ、アース接続側端子Ｂ１に連結されている。
【０００８】
ここで、高電圧放電ギャップＨは、異常放電エネルギーに合わせて設定されるが、通常フォーカス用端子ピンには、５〜１０ＫＶの高電圧が印加されているのでこの電圧より３〜５ＫＶ高く設定される。
また、低電圧放電ギャップＬ１は、２本のフォーカス用端子ピン間の電圧差やダイナミック電圧幅を考慮して通常は２〜３ＫＶ程度に設定される。
【０００９】
従来は、図６に示すようにブラウン管のアノードから異常逆流管内放電が生じた場合に、それぞれの高電圧放電ギャップＨ１、Ｈ２等を介して放電エネルギーをアース接続側に流して基板回路素子を保護していたのに対して、図５に示すようなフォーカスコンタクト部構造を採用したことにより、第２フォーカスピン２２ｂに異常放電が発生した場合には、この第２フォーカスピンに接続した第２フォーカスコンタクト７０ｂに圧接接続した電極Ａと、アース接続側電極Ｂの間の高電圧放電ギャップＨを介してアース側に流れる。
また、第１フォーカスピン２２ａに異常放電が発生した場合には、第１フォーカスコンタクト７０ａと、前記第２フォーカスコンタクト７０ｂに接続した電極Ａとの間に設けた低電圧ギャップＬ１を介して電極Ａ側に流れ、さらに、電極Ａと電極Ｂの間の高電圧放電ギャップＨを介してアース側に流れるように作用し、基板回路素子を保護することになる。
よって、この第１フォーカスコンタクトも低電圧放電ギャップＬ１を介して電極Ａを利用できるので部品点数が少なくなり、ＣＲＴソケットの形状を小型化できた。
【００１０】
このように１のフォーカスコンタクトを電極Ａに直接的に接続し、他のフォーカスコンタクトと電極Ａとの間に低電圧放電ギャップＬ１を設けた構造により、確かにフォーカスピン同士の間の電圧差やダイナミック電圧幅をある程度吸収しつつ、電極Ａの共通化を図ることはできた。
しかし、図６に示したそれぞれ独立して電極ａと高電圧放電ギャップを設けてアース接続側電極ｂを対向させた場合に比較すると、フォーカスピン同士間の耐放電電圧差が小さくならざるを得ず、また、フォーカスピン毎に電気接続及び放電経路が異なることになるので複数のフォーカスピンの放電開始電圧を同一にしたい場合には、さらに改善が必要になった。
【００１１】
【発明が解決しようとする課題】
本発明は、上記実状に鑑みて、先の出願に係る発明を更に改善したもので、複数のフォーカス手段を有するブラウン管用ＣＲＴソケットのフォーカスピン同士間の耐放電電圧差を大きく確保し、かつ、放電開始電圧の均一化ができ、高電圧放電ギャップ構成の簡素化を可能にし、ＣＲＴソケット形状の小型化に有効な構造の提供を目的とする。
【００１２】
【課題を解決するための手段】
本発明は、複数のフォーカス手段を有する陰極線管接続用ＣＲＴソケットにおいて、陰極線管の複数のフォーカスピンにそれぞれ接続するそれぞれのフォーカスコンタクトに電極部ＦＡを設け、当該複数の電極部ＦＡとの間に低電圧放電ギャップＬを開けて１個の共通電極Ａを設け、当該共通電極Ａに対向して高電圧放電ギャップＨを開けてアース接続側電極Ｂを設けた。
【００１３】
複数のフォーカスピンのそれぞれの放電経路の同一化を図ることで放電開始電圧を同一にし、フォーカスピンに接続したフォーカスコンタクト同士間に複数の低電圧放電ギャップを構成することで耐放電電圧差を大きくすることができることに着目したものである。
【００１４】
【発明の実施の形態】
本発明の望ましい実施の形態をダブルフォーカス管の例に基づいて以下説明する。
図１に本発明に係るＣＲＴソケット１の要部構造図を示し、図２にリング状部２と基台部４を一体的に樹脂成形した場合のハウジングを示し、図２（イ）が平面図、図２（ロ）が側面図を示し、リング状部２の中心部に円筒状中心孔５が設けられ、ＣＲＴ電子銃部が挿入される。
図３にカバー部３を示し、図３（イ）が平面図、図３（ロ）がＸ−Ｘ断面図を示す。
図４に示すように、カバー部３に電極Ａ収納室３１を設けて共通電極Ａを挿入し、第１フォーカスコンタクト収納室１７ａ、第２フォーカスコンタクト収納室１７ｂを設けてそれぞれ、第１フォーカスコンタクト７０ａ、第２フォーカスコンタクト７０ｂをハ字状に収納配設し、電極Ｂ収納室３２を設けて電極Ｂを挿入した状態のカバー部３を図２に示す基台部４の上方向から嵌着させてＣＲＴソケット１が組み立てられている。
フォーカス部の接続関係を図１のカバー部裏側から見た要部構造図及び図４の部品組み立て図にて説明する。
【００１５】
ＣＲＴの１の第１フォーカスピン２２ａに接続するように、ＣＲＴソケット１における１のフォーカスコンタクト孔７ａに一端を臨ませて第１フォーカスコンタクト７０ａを配設し、他端にリード線接続部７１ａが備えられている。
一方、ＣＲＴの他の第２フォーカスピン２２ｂに接続するようにＣＲＴソケット１における他のフォーカスコンタクト孔７ｂに一端を臨ませて第２フォーカスコンタクト７０ｂを配設し、他端にリード線接続部７１ｂが備えられている。
第１フォーカスコンタクト７０ａと第２フォーカスコンタクト７０ｂには、それぞれ低電圧放電電極部ＦＡ１、ＦＡ２が設けられている。
上記第１フォーカスコンタクトの低電圧放電電極部ＦＡ１に対して、低電圧放電ギャップＬ１、第２フォーカスコンタクトの低電圧放電電極部ＦＡ２に対して、低電圧放電ギャップＬ２をそれぞれ開けて共通電極Ａに設けた低電圧放電電極部Ａ１、Ａ２が位置するように共通電極Ａを配設している。
この共通電極Ａには、高電圧放電ギャップＨを開けてアース接続側電極Ｂが対設されている。
なお、このアース接続側電極Ｂには、アース接続側端子Ｂ１が設けられて異常放電電流がアース側に流れるようになっている。
【００１６】
図１及び図４に示したフォーカスコンタクトの形状は、左右同一形状にして部品の共通化を図ったが、左右対称形状にしてもよい。
なお、リング状部（信号部）の構成は、従来のＣＲＴソケットとほぼ、同様なので説明を省略する。
本発明の実施の形態例においては主にダブルフォーカス管について説明したが、その他トリプルフォーカス管においても１のフォーカスコンタクトに低電圧放電電極部ＦＡを設けてこれに対向して共通電極Ａ及び、さらに共通電極Ａに対向してアース接続側電極Ｂを設け、かつ、この共通電極Ａと複数の他のフォーカスコンタクトに設けた低電圧放電電極部ＦＡとの間に低電圧放電ギャップＬをそれぞれ設ける等して展開することが出来る。
【００１７】
【発明の効果】
このようなフォーカス部の構成にしたことにより、ＣＲＴのフォーカスピンに発生した異常逆電流は、各フォーカスピン毎にほぼ同一の経路によるアース側への放電が可能になり、放電開始電圧の同一化が図れる。
また、フォーカスコンタクトの共通電極Ａとの間にそれぞれ低電圧放電ギャップＬを設けたので、例えば、前述したダブルフォーカスピンの場合にて説明すると、第１フォーカスピン２２ａと第２フォーカスピン２２ｂの間には、低電圧放電ギャップＬ１とＬ２の２箇所に低電圧放電ギャップが存在することになり、図５に示す構造と比較すると同一の異常電流放電特性を有しつつ、フォーカスピン同士間に約２倍の耐放電電圧特性が得られる。
【図面の簡単な説明】
【図１】本発明に係るＣＲＴソケット１の要部構造図を示す。
【図２】ＣＲＴソケット１のハウジングを示す。
【図３】ＣＲＴソケット１のカバー部を示す。
【図４】ＣＲＴソケット１のカバー部に配置される部品図を示す。
【図５】本願出願人が先に提案したＣＲＴソケットのフォーカス部の構造例を示す。
【図６】従来のＣＲＴソケット１００のカバー裏側から見たフォーカス部を中心とした要部構造図を示す。
【図７】従来のＣＲＴソケット１００の要部断面図を示す。
【図８】従来のＣＲＴソケット１００の表側外観図を示す。
【符号の説明】
１      本発明に係るＣＲＴソケット
２      リング状部
３      カバー部
３１    電極Ａ収納室
３２    電極Ｂ収納室
４      基台部
５      円筒状中心孔
６      信号コンタクト孔
７ａ    第１フォーカスコンタクト孔
７ｂ    第２フォーカスコンタクト孔
７０ａ    第１フォーカスコンタクト
７０ｂ    第２フォーカスコンタクト
ＦＡ１    第１フォーカスコンタクトの低電圧放電電極部
ＦＡ２    第２フォーカスコンタクトの低電圧放電電極部
７１ａ    第１フォーカスコンタクトのリード線接続部
７１ｂ    第２フォーカスコンタクトのリード線接続部
Ａ      共通電極
Ａ１    共通電極Ａの第１フォーカスコンタクトとの低電圧放電電極部
Ａ２    共通電極Ａの第２フォーカスコンタクトとの低電圧放電電極部
Ｂ      アース接続側電極
Ｂ１    アース接続側端子
Ｈ      高電圧放電ギャップ
Ｌ１    第１フォーカスコンタクトの低電圧放電ギャップ
Ｌ２    第２フォーカスコンタクトの低電圧放電ギャップ
【図１】
0003681681.tif 000002
【図２】
0003681681.tif 000003
【図３】
0003681681.tif 000004
【図４】
0003681681.tif 000005
【図５】
0003681681.tif 000006
【図６】
0003681681.tif 000007
【図７】
0003681681.tif 000008
【図８】
0003681681.tif 000009